(57)【要約】【課題】アイロンにおいて、小型で使い勝手の良いアイロンを提供するものである。【解決手段】ヒータ部４により加熱される円形のベース２を覆うように配設されたベースカバー５の上方に中間カバー６と半球状の表面カバー３を設ける構造を有する小型化可能なアイロン１において、ベースを表面カバー外周より内側に形成することにより、使用者の指先が直接ベースに接触することを防止し、使い勝手の良いアイロンを提供するものである。【選択図】  図１
2004275373.tif 000002
【特許請求の範囲】
【請求項１】
ヒータにより加熱される円形のベースと、前記ベースを覆うように配設されたベースカバーと、前記ベースカバーの上方に配設された中間カバーと、前記ベースカバーと中間カバーを覆うように配設した半球状の表面カバーを具備し、前記ベースを前記表面カバー外周より内側に形成したアイロン。
【請求項２】
ベースをベースカバー外周より内側に形成した請求項１記載のアイロン。
【請求項３】
ベースカバー外周壁の内側に環状に配設した内周壁を前記外周壁よりも下方へ延設した請求項２記載のアイロン。
【請求項４】
ベース外周のやや内側に環状にベース周壁を設けるとともに、ベースカバー外周壁の内側に環状に配設した内周壁を前記ベース周壁の上端よりも下方へ延設した請求項２記載のアイロン。
【発明の詳細な説明】
【０００１】
【発明の属する技術分野】
本発明は、アイロンに関するものである。
【０００２】
【従来の技術】
従来のこの種のアイロンは、埋設したヒータにより加熱される略三角形状のベースと、ベースの上面側を覆うベースカバーと、ベースカバー上に設置した把手体を固定し、把手体の上部には内部を中空にした棒状の握り部を形成している。また、ベースはベースカバーに対して外側に形成されており、ベースの表面積を広くすることにより、アイロン掛けを行い易くしている。（例えば特許文献１参照。）。
【０００３】
【特許文献１】
特開２００１−１７８９９８号公報
【０００４】
【発明が解決しようとする課題】
しかしながら、上記従来のアイロンではベースカバー上に把手体を固定し、把手体の上部には内部を中空にした棒状の握り部を形成しており、アイロン本体の小型化には構造上の限界があった。
【０００５】
本発明は、上記構造上の限界を克服しアイロン本体の小型化を実現すると共に、使い勝手の良いアイロンを提供するものである。
【０００６】
【課題を解決するための手段】
上記課題を解決するために本発明は、ヒータにより加熱される円形のベースと、前記ベースを覆うように配設されたベースカバーと、前記ベースカバーの上方に配設された中間カバーと、前記ベースカバーと中間カバーを覆うように配設した半球状の表面カバーを具備し、ベースを表面カバー外周より内側に形成したものであり、使用者の手がベースに接触することを防止できるものである。
【０００７】
【発明の実施の形態】
上記の目的を達成するために本発明は、ヒータにより加熱される円形のベースと、前記ベースを覆うように配設されたベースカバーと、前記ベースカバーの上方に配設された中間カバーと、前記ベースカバーと中間カバーを覆うように配設した半球状の表面カバーを具備し、ベースを表面カバー外周より内側に形成したものであり、使用者の指先が直接ベースに接触することを防止するものである。
【０００８】
また、ベースをベースカバー外周より内側に形成したものであり、使用者の指先が表面カバーの下方に及んだとしても、直接ベースに接触することがないようにしたものである。
【０００９】
また、ベースカバー外周壁の内側に環状に配設した内周壁を前記外周壁よりも下方へ延設したものであり、アイロン内部に塵や埃といった異物の混入を防止するものである。
【００１０】
更に、ベース外周のやや内側に環状にベース周壁を設けるとともに、ベースカバー外周壁の内側に環状に配設した内周壁をベース周壁の上端よりも下方へ延設したものであり、アイロン内部に塵や埃といった異物の混入を防止するものである。
【００１１】
【実施例】
以下、本発明の実施例について図面を参照しながら説明する。
【００１２】
図１は本実施例のアイロン１であり、円形のベース２と半球状の表面カバー３を有し把手体と表面カバー３を一体化したことを特徴としたものであり、アイロン本体の小型化を実現するものである。
【００１３】
即ち、その構成は円形状のベース２の上に略円形状のヒータ部４、略円形状のベースカバー５、半球状の中間カバー６、半球状の表面カバー３を順に同軸上に重ねたものである。なお、表面カバー３と中間カバー６は、耐熱性を有するプラスチックを用いている。
【００１４】
ヒータ部４は、図２に示すように、ヒータ脇マイカ７、マイカに熱線を巻き付けたヒータ巻きマイカ８、ヒータ押え板９により構成されており、ベース２の上にヒータ脇マイカ７、ヒータ巻きマイカ８、ヒータ脇マイカ７、ヒータ押え板９の順に積み上げられている。そして、ヒータ押え板９の上には、アイロン１の加熱温度の制御するサーモスタット１０と、ベース２への加熱温度に応じて電力の供給を断つ温度ヒューズ１１、ベース２が暖められる時などの通電時に点灯するランプ１２が備えられている。
【００１５】
また、ベースカバー５の上にはベースカバー５を覆う半球状の中間カバー６とプラグ受け部１３が設けられており、プラグ受け部１３には電源供給を行うマグネットプラグ１４が着脱可能である。
【００１６】
半球形状をしたアイロン１に於ては、従来のような棒状の握り部はなく、使用者は表面カバー３を掌に当てながら作業を行う。また、ベース２が円形であることや表面カバー３が半球状であることから、使用者はアイロン１を掛ける際に方向性を気にする必要がなく、握り部がないことから力の弱い子供やお年寄りにとって使い易いアイロン１を提供できる。
【００１７】
しかしながら、本実施例のアイロン１では高熱を有するベース２と使用者の掌との距離が接近している構造となるため、略同軸上にある表面カバー３とベース２に於いて、表面カバー３の直径をベース２の直径よりも大きくして、使用者が表面カバー３を握りアイロン掛けを行ったとしても、直接ベース２に触れることを防止している。
【００１８】
また、略同軸上にあるベース２とベースカバー５に於いて、ベースカバー５の直径をベース２の直径よりも大きくしたものである。その結果、使用者の指先が表面カバー３の下方に及んだとしても直接ベース２に接触することがなく、安全性を高めている。
【００１９】
また、ベースカバー５に関して、図３に示すように、ベースカバー５の外周壁１５の内側に環状に配設した内周壁１６を設け、内周壁１６は外周壁１５よりも下方へ延設した。その結果、アイロン掛けをする際に発生する塵や埃やヘアピン等の異物がアイロン１の内部に侵入することを防止できる。
【００２０】
更に、ベース２の外周よりやや内側の上面には、環状のベース周壁１７を設けてあり、ベースカバー５の内周壁１６をそのベース周壁１７より外側でかつ下端をベース周壁１７の上端よりも下方へオーバーラップさせて延設した。その結果、アイロン掛けをする際に発生する塵や埃やヘアピン等の異物がアイロン１の内部に侵入することを防止できる。
【００２１】
なお、本実施例では、ベースカバー５の内周壁１６およびベース２のベース周壁１７は共に環状としたが、一部に切り欠き等を設けた不完全な環状としても、ほぼ同等の効果を発揮できるものである。
【００２２】
【発明の効果】
以上のように本発明によれば、ヒータにより加熱される円形のベースと、前記ベースを覆うように配設されたベースカバーと、前記ベースカバーの上方に配設された中間カバーと、前記ベースカバーと中間カバーを覆うように配設した半球状の表面カバーを具備し、ベースを表面カバー外周より内側に形成したものであり、使用者の指先が直接ベースに接触することを防止できるものである。
【図面の簡単な説明】
【図１】本発明の実施例を示すアイロンの横断面図
【図２】同アイロンのヒータ部の横断面図
【図３】同アイロンのベース及びベースカバー周辺の横断面図
【符号の説明】
１  アイロン
２  ベース
３  表面カバー
４  ヒータ部
５  ベースカバー
６  中間カバー
７  ヒータ脇マイカ
８  ヒータ巻きマイカ
９  ヒータ押え板
１０  サーモスタット
１１  温度ヒューズ
１２  ランプ
１３  プラグ受け部
１４  マグネットプラグ
１５  外周壁
１６  内周壁
１７  ベース周壁
【図１】
2004275373.tif 000003
【図２】
2004275373.tif 000004
【図３】
2004275373.tif 000005